(57)【要約】  本発明は、ナットセグメント収納部を複数個有するナット本体と、該ナット本体のナットセグメント収納部にそれぞれ収納された複数個のナットセグメントと、該ナットセグメントの上方に設けられ、ナットセグメントをナット本体の底面方向へ付勢する付勢手段と、前記ナットセグメント及び付勢手段を前記ナット本体内部に保持する保持手段とからなるナットにおいて、前記ナットセグメント収納部の底面には、前記ナットセグメントの内側に形成されたネジ部が連続するような段差が形成されており、また、前記ナットセグメント収納部にはガイド部が形成されるとともに、前記ナットセグメントには、前記ガイド部に挿入され、ナットセグメントを直線方向にのみ摺動させるガイド片が設けられていることを特徴とするナットであって、その課題は、ボルトを押し込んだ際にナットセグメントが傾くことなく、スムーズにボルトと螺合するナットを提供することである。
2019026253.tif 000002
【特許請求の範囲】
【請求項１】
ナットセグメント収納部を複数個有するナット本体と、該ナット本体のナットセグメント収納部にそれぞれ収納された複数個のナットセグメントと、該ナットセグメントの上方に設けられ、ナットセグメントをナット本体の底面方向へ付勢する付勢手段と、前記ナットセグメント及び付勢手段を前記ナット本体内部に保持する保持手段とからなるナットにおいて、
前記ナットセグメント収納部の底面には、前記ナットセグメントの内側に形成されたネジ部が連続するような段差が形成されており、
また、前記ナットセグメント収納部にはガイド部が形成されるとともに、前記ナットセグメントには、前記ガイド部に挿入され、ナットセグメントを直線方向にのみ摺動させるガイド片が設けられていることを特徴とするナット。
【請求項２】
前記ナットセグメント収納部は、隔壁で区切られ、該隔壁にガイド部が形成されていることを特徴とする請求項１に記載のナット。
【請求項３】
前記ガイド部は、傾斜を有した線状の溝であることを特徴とする請求項１又は請求項２のいずれかに記載のナット。
【請求項４】
前記ナット本体の下部には、座金部材が設けられていることを特徴とする請求項１乃至請求項３のいずれかに記載のナット。
【発明の詳細な説明】
【技術分野】
【０００１】
本発明は軸方向にスライド移動する複数個のナットセグメントを備えるナットに関する。
【背景技術】
【０００２】
従来、ボルトを押し込んで締め付け可能なナットとしては「外壁が多角形状に形成され、内径が順次小径寸法となり、かつ小径端部が２個以上の段差となる傾斜孔を有するナット本体と、このナット本体の傾斜孔内にスライド移動可能で、かつ小径側の端部が段差部に当接し、大径側の端部に押圧突片が形成された２個以上のナットセグメントと、この２個以上のナットセグメントの内壁面に最小径の段差部に当接するナットセグメントと連続するように形成されたねじ部と、前記２個以上のナットセグメントの大径側の端部に設けられたワッシャーと、このワッシャーを介して前記２個以上のナットセグメントを常時小径側へ付勢するように、前記ナット本体内に取付けられた付勢スプリングと、この付勢スプリングを前記ナット本体内に保持するボルト挿入孔が形成された、前記ナット本体に取付けられたストッパー片とからなることを特徴とする押し込みナット」（特許文献１）が知られている。【０００３】
しかし、このようなナットでは、ボルトを押し込んだ際にナットセグメントが付勢スプリングの付勢力に抗して大径側へ移動するが、この場合にナットセグメントが微妙に回動してしまい、ねじ部が傾き、ナットとボルトのねじ部がスムーズに噛み合わないという欠点があった。また、複数個のナットが正確に噛み合わなかった。
【先行技術文献】
【特許文献】
【０００４】
【特許文献１】特開２０１３−２３４７３１号公報
【発明の概要】
【発明が解決しようとする課題】
【０００５】
本発明は以上のような従来の欠点に鑑み、ボルトを押し込んだ際にナットセグメントが傾くことなく、スムーズにボルトと螺合するナットを提供することを目的としている。
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明のナットは、ナットセグメント収納部を複数個有するナット本体と、該ナット本体のナットセグメント収納部にそれぞれ収納された複数個のナットセグメントと、該ナットセグメントの上方に設けられ、ナットセグメントをナット本体の底面方向へ付勢する付勢手段と、前記ナットセグメント及び付勢手段を前記ナット本体内部に保持する保持手段とからなるナットにおいて、前記ナットセグメント収納部の底面には、前記ナットセグメントの内側に形成されたネジ部が連続するような段差が形成されており、また、前記ナットセグメント収納部にはガイド部が形成されるとともに、前記ナットセグメントには、前記ガイド部に挿入され、ナットセグメントを直線方向にのみ摺動させるガイド片が設けられていることを特徴とする。
【発明の効果】
【０００７】
以上の説明から明らかなように、本発明にあっては次に列挙する効果が得られる。
（１）請求項１及び請求項２に記載の各発明においては、ガイド部とガイド片により、ナットセグメントが上方へ移動する際にガイドされるので、ナットセグメントが回動することを防止できる。
したがって、ボルトを押し込んだ際にスムーズに螺合状態にすることができる。
付言すると、ナットセグメントは平行状態で上方へ持ち上げられ、ネジ部の直径が拡大するので、ボルトのネジ部をかじってしまうことを防止できる。
（２）請求項３に記載の発明においても前記（１）と同様な効果が得られるとともに、線状の溝であるガイド部にガイド片が挿入されるので、ナットの組立時等にナットセグメントがナット本体から脱落することを防止できる。
（３）請求項４に記載の発明においても前記（１）〜（２）と同様な効果が得られるとともに、座金部材が設けられているので、ナット自体を木材、鉄等に容易に固定して用いることができる。
【図面の簡単な説明】
【０００８】
図１乃至図７は本発明の第１の実施形態を示す説明図である。
図８乃至図１１は本発明の第２の実施形態示す説明図である。
図１２及び図１３は本発明の第３の実施形態示す説明図である。
図１４及び図１５は本発明の第４の実施形態示す説明図である。
【図１】第１の実施形態のナットの平面図。
【図２】図１の２−２線断面図。
【図３】ナットの展開図。
【図４】ナット本体の平面図。
【図５】図４の５−５断面図。
【図６】ナットセグメントの斜視説明図。
【図７】ボルトを挿入する状態の説明図。
【図８】第２の実施形態のナットの平面図。
【図９】図８の９−９線断面図。
【図１０】ナット本体の平面図。
【図１１】図１０の１１−１１線断面図。
【図１２】第３の実施形態のナットの平面図。
【図１３】図１２の１３−１３線断面図。
【図１４】第４の実施形態のナットの平面図。
【図１５】図１４の１５−１５線断面図。
【符号の説明】
【０００９】
１、１Ａ、１Ｂ、１Ｃ：ナット、      ２：ナットセグメント、
３：隔壁、                        ４：ナットセグメント収納部、
５、５Ａ、５Ｂ：ナット本体、      ６、６Ａ：付勢手段、
７、７Ａ：保持手段、              ８：付勢手段収納部、
９：ボルト、                      １０：ボルト通し孔、
１１、１１Ａ：ガイド部、          １２：ネジ部、
１３：底面、                      １４：ガイド片、
１５：押圧板、                    １６、１６Ａ：付勢スプリング、
１７：貫通孔、                    １８：カシメ部、
１９：ワッシャー、                ２０：ビス孔、
２１、２１Ａ：座金部材、          ２２：爪。
【発明を実施するための形態】
【００１０】
以下、図面に示す本発明を実施するための形態により、本発明を詳細に説明する。なお、本明細書では図２を基準として（正面視）、上側を上方、下側を下方として説明する。
【００１１】
図１乃至図７に示す本発明を実施するための第１の形態において、１は軸方向にスライド移動する複数個のナットセグメント２を備えるナットである。
【００１２】
このナット１は、図１及び図２に示すように、内側に隔壁３で区切られたナットセグメント収納部４が複数個形成されたナット本体５と、該ナット本体５のナットセグメント収納部４にそれぞれ収納されたナットセグメント２と、該ナットセグメント２の上方に設けられ、ナットセグメント２を下方へ付勢する付勢手段６と、前記ナットセグメント２及び付勢手段６をナット本体内部に保持する筒状の保持手段７とで構成されている。
ナット本体５は、本実施形態では、鉄製で、図４及び図５に示すように、外形が平面視円形に形成されており、その内部には、径方向の壁面の一部が傾斜面状で、周方向に所定間隔を有して合計３つの隔壁３により区切られた複数のナットセグメント収納部４が形成されている。
【００１３】
この隔壁３は本実施形態ではナット本体５の内部に一体的に形成されているが、着脱自在な隔壁３をナット本体５に設けてもよい。具体的には、ナット本体５の内周面に取付溝等を形成し、この取付溝に係合する係合片を備える隔壁３を用いて着脱してもよい。
また、隔壁３の下部のみをナット本体５に一体的に形成し、ガイド部１１を有する部位のみを着脱自在としてもよい。
【００１４】
図２で示すように、このナットセグメント収納部４の上方、すなわち、キャップ状の保持手段７の内部には、前記付勢手段６が収納される上方空間部となっており、この上方空間部が付勢手段収納部８となる。
【００１５】
ナット本体５の底面は、ボルト９が挿入されるボルト通し孔１０が形成されている。
また、本実施形態では、ナット本体５の上部付近の外周部には、後述する保持手段７を取付けるためのネジ部５ａが形成されている。
【００１６】
ナットセグメント収納部４の両側部あるいは側壁部の適宜部位に設けられている隔壁３には、それぞれ溝状のガイド部１１が形成されている。
【００１７】
このガイド部１１は、本実施形態では、傾斜を有した線状の溝状に形成されている。このガイド部１１の傾斜角度は、前記ナットセグメント収納部４の傾斜面と略同じ角度となっているため、ナットセグメント２は、回動することなく平行状態上方へ移動することができる。
【００１８】
ナットセグメント収納部４の底面１３には、隣り合うナットセグメント２のネジ部１２が連続的に接続するように、段差が設けられている。このような段差を形成することにより、図３に示すように、同じナットセグメント２を用いても隣り合うナットセグメント２のネジ部１２が連続的に接続するため、どのナットセグメント２をどのナットセグメント収納部４に収納してもナットとして機能させることができる。
【００１９】
したがって、組立ミスによりネジ部１２が連続せず、ナットとして機能しないことを防止でき、同一のナットセグメント２を用いることができるので、１種類のナットセグメント２を製造すればよく、コストを低減できる。
【００２０】
ナットセグメント２は、図６に示すように、鉄製で、その外周面の下部が傾斜面状に形成されるともに、内周面にネジ部１２を備えている。本実施形態では３つのナットセグメントを用いてボルト９と螺合するネジ部１２を形成している。
【００２１】
また、このナットセグメント２の両側面には、前記ガイド部１１に挿入されるガイド片１４が設けられている。このガイド片１４は、前記ガイド部１１と略同じ角度の傾斜を有する突片で、組立時においてはガイド部１１に挿入される。ガイド部１１が形成されている隔壁３は平面視略三角形状に形成されており、ナットセグメント２が上方へ押し上げられた時に、平行状態を保ったまま上方へ移動できるとともに、ガイド片１４が横方向に脱落しないようになっている。
【００２２】
付言すると、隔壁３を平面視略三角形とすることにより、ナットセグメント２が上方へ押し上げられると、ガイド部１１によって斜め上部方向へスライド移動するが、このように移動してもナットセグメント２の両側部と隔壁３とが常時略当接している状態（ぴったりと当接している状態又はわずかな隙間を介して接近している状態）を維持でき、ガイド片１４が横方向に脱落しないためである。
【００２３】
隔壁３は本実施形態では平面視略三角形状に形成しているが、ナットセグメント２の両側部と隔壁３が常時略当接するような形状であれば、どのような形状にしてもよい。
また、ナットセグメント２も隔壁３と略当接する部位は斜めに切り欠かれている。
傾斜状のガイド部１１にガイド片１４を挿入することにより、例えば組立時にナット本体５を傾けても、ナットセグメント２がナット本体５から脱落することを防止することができる。
【００２４】
ところで、ナットセグメント２やナット本体５は本実施形態では鉄製のものが用いられているが、樹脂（特にエンジニアプラスチック等）、合金、非鉄金属、セラミックス等を用いて形成してもよい。
【００２５】
付勢手段６は、付勢手段収納部８に収納された、ナットセグメント２の上面に当接し、中心部に透孔１５ａを有する鉄製の押圧板１５と、この押圧板１５を下方へ押圧するように付勢する付勢スプリング１６とで構成されている。
【００２６】
この付勢スプリング１６は、本実施形態では内径がボルト直径よりも大きいコイルばねを１つ用いているが、直径の小さいコイルばねを複数個押圧板１５の上面に設けて付勢スプリング１６としてもよい。
【００２７】
ボルト９をナット１に挿入した際にナットセグメント２が斜め上方へ持ち上げられるが、この付勢手段６によって、下方へ押し下げられ、略初期位置に戻るとともに、回動することなく（平行状態で）ボルト９と螺合する。
【００２８】
押圧板１５の底面は段差状に形成されており、ナットセグメントの上面にそれぞれ当接するようになっている。このように押圧板の底面を段差状にすることにより、複数個のナットセグメント２を均等に下方へ付勢することができる。
保持手段７は、本実施形態では、ナット本体５の上部に形成されたネジ部５ａに螺合する鉄製の蓋体７が用いられる。
【００２９】
蓋体７は、図１及び図２で示すように、上壁部の一部に相当する環状壁部７ａと、この環状壁部７ａの外周端に連続する周壁部７ｂとからなる筒状部材であり、前記環状壁部７ａの内周端側、すなわち、蓋体７の中央部には、ボルト９が貫通する貫通孔１７が形成されている。すなわち、蓋体７は、いわゆる袋ナットのような形状になっている。この蓋体７の外径はナット本体５の外径と略同じであり、また、平面視円形状に形成されている。
なお、本実施形態では押圧板１５や蓋体７は鉄で形成しているが、樹脂、非鉄金属、合金、セラミックス等を用いてもよい
本発明のナット１は、例えば、木造住宅、鉄構造物、コンクリート構造物等に用いられる。なお、この他にも、宇宙・航空・航海機器等、様々な機器に用いることができる。
このナット１を使用する場合には、木材から突出しているボルト９をボルト通し孔１０に挿入する。そうすると、ナットセグメント２が下方からボルト９に押圧され、付勢手段６の付勢力に抗して上方へ移動する。
【００３０】
この時、ナットセグメント２はガイド部１１にガイド片１４が挿入されているので、ガイド部１１の傾斜にそって斜め上に押し上げられる。すなわち、内側のネジ部１２の直径が拡がりながら上方へ移動する。このようにナットセグメント２が動く際に、ガイド部１１及びガイド片１４によりナットセグメント２がガイドされるので、ナットセグメント２が外周面のストレート部と傾斜部の交点部分を支点に回動してしまうことがなく、ナットセグメント２を直線方向にのみ摺動させ、スムーズに上方へ移動させることができる。
また、前記隔壁は平面視略三角形状に形成されているので、ネジ部１２の直径が広がる方向にナットセグメント２が持ち上げられても、ナットセグメント２の両側部と隔壁３とが常時略当接している状態となり、ガイド部１１からガイド片１４が脱落してしまい、ガイド部１１にガイドされない状態で上方へ移動することを防止できる。
【００３１】
したがって、ネジ部１２がボルト９をかじってしまったり、意図しない位置でボルト９に引っかかって、ボルト９がスムーズにナット１を貫通できない等を防止することができる。
【００３２】
ところで、ナットセグメント２は、そのネジ部１２のネジ山の１．５山分以上上方に移動しないように設計されている。ナットセグメント２をボルト９が押すことにより、ナットセグメント２は上方へ移動するが、正確に１山１山移動するので、ボルト９を適宜押し込んで止めても、複数個のナットセグメント２は正確にボルトピッチに結合する。
ボルト９が通過できる程度にネジ部１２の直径が広がると、ボルト９がナット１を貫通する。そのような状態になったら、ナット１を締めつけ方向に回し、ナット１とボルト９をしっかりと締め付ける。
【００３３】
なお、本実施形態ではナット本体５等は平面視円形状（外形が円柱状）となっているので、図示しない治具装着部等をナット本体５等に設け、治具を介して増し締め等を行うとよい。
【００３４】
また、ナット１のナット本体５の下部に図示しない係合片を設け、この係合片に座金部材を係合させ、木材等にナット１を固定しても良い。
【００３５】
［発明を実施するための異なる形態］
次に、図８乃至図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図８乃至図１１に示す本発明を実施するための第２の形態において、前記本発明を実施するための第１の形態と主に異なる点は、隔壁３に凹所状のガイド部１１Ａを形成したナット本体５Ａとした点で、このようなナット１Ａにしても、前記本発明を実施するための第１の形態と同様な作用効果が得られる。
【００３６】
図１２及び図１３に示す本発明を実施するための第３の形態において、前記本発明を実施するための第１の形態と主に異なる点は、２つのナットセグメント収納部４を形成し、外形が６角形状で金属製のナット本体５Ｂとし、このナットセグメント収納部４に２つの金属製のナットセグメント２Ａを収納するとともに、ナット本体５Ｂの上部を内側にかしめたカシメ部１８と、このカシメ部１８と前記付勢スプリング１６との間に設けられた透孔１９ａを有するワッシャー１９とで構成される保持手段７Ａを用い、ナット本体５Ｂの下部に、ビス孔２０を備える座金部材２１を回転可能に設けた点で、このようなナット１Ｂにしても、前記本発明を実施するための第１の形態と同様な作用効果が得られる。
なお、本実施形態ではナット本体５Ｂに回転可能に座金部材２１を設けた形態について説明しているが、ナット本体５Ｂと座金部材２１を一体的に形成してもよい。
【００３７】
図１４及び図１５に示す本発明を実施するための第４の形態において、前記本発明を実施するための第３の形態と主に異なる点は、方に向かって直径が拡大するような円錐ばね１６Ａを用いた付勢手段６Ａとし、ビス孔を備えず木材等に仮固定するための爪２２を備える座金部材２１Ａを設けた点で、このようなナット１Ｃにしても、前記本発明を実施するための第１の形態と同様な作用効果が得られる。
【００３８】
なお、本発明の実施形態では、ナットセグメントを２つ又は３つ用いる形態について説明したが、ナットセグメントは複数個であればよく、例えば４つ、６つ又は８つのナットセグメントを用いてもよい。
【００３９】
また、ガイド部を隔壁に形成するものについて説明したが、ナットセグメント収納部のナットセグメントの外側面（ネジ部が形成されていない側面）と当接する部位にガイド部を形成し、ナットセグメントの外側面にガイド片を形成してもよい。
【産業上の利用可能性】
【００４０】
本発明はナットを製造する産業で利用される。
【図１】
2019026253.tif 000003
【図２】
2019026253.tif 000004
【図３】
2019026253.tif 000005
【図４】
2019026253.tif 000006
【図５】
2019026253.tif 000007
【図６】
2019026253.tif 000008
【図７】
2019026253.tif 000009
【図８】
2019026253.tif 000010
【図９】
2019026253.tif 000011
【図１０】
2019026253.tif 000012
【図１１】
2019026253.tif 000013
【図１２】
2019026253.tif 000014
【図１３】
2019026253.tif 000015
【図１４】
2019026253.tif 000016
【図１５】
2019026253.tif 000017
【国際調査報告】
2019026253.tif 000018
2019026253.tif 000019
2019026253.tif 000020
2019026253.tif 000021